(57)【要約】【課題】巻き取り装置を使う場合と、使わない場合との切り替えを容易に行うと共に、被記録材が短尺と長尺である場合の両方で、被記録材収容位置からの取り出し易さを向上する。【解決手段】ロールシートＲに画像を形成する記録部３と、記録部３から排出されたシートを巻き取る巻き取り軸管７１、巻き取り軸管７１に一端が設けられた所定の長さを有する巻き取りシート材７２を有し、巻き取りシート材７２の他端に、記録部３から排出されるシートの端部が取り付けられて巻き取りを行う巻き取り装置７と、を備える。巻き取りシート材７２の他端は、記録部３から排出されるシートの排出口近傍に位置する、シートの端部が取り付けられる巻き取り開始位置と、記録部３から排出されるシートを巻き取りシート材７２の上に収納可能とするシート収納位置とに、選択的に取り付け可能に構成されている。【選択図】図１
2013121705.tif 000002
【特許請求の範囲】
【請求項１】
ロール状の被記録材に画像を形成する画像形成手段と、
前記画像形成手段から排出された前記被記録材を巻き取る巻き取り軸部材と、前記巻き取り軸部材に一端が設けられた所定の長さを有する帯状部材とを有し、前記帯状部材の他端に、前記画像形成手段から排出される前記被記録材の端部が取り付けられて巻き取りを行う巻き取り手段と、を備える画像形成装置において、
前記帯状部材の他端は、前記画像形成手段から排出される前記被記録材の排出口近傍に位置する、被記録材の端部が取り付けられる巻き取り開始位置と、前記画像形成手段から排出される被記録材を前記帯状部材の上に収納可能とする被記録材収納位置とに、選択的に取り付け可能に構成されていることを特徴とする画像形成装置。
【請求項２】
前記帯状部材の前記他端が前記被記録材収納位置に取り付けられたとき、前記画像形成装置によって記録される前記被記録材の形態に応じて、前記巻き取り軸部材によって巻き取られる前記帯状部材の巻き条件が変更される、請求項１に記載の画像形成装置。
【請求項３】
前記巻き条件は、前記巻き取り軸部材に対する前記帯状部材の巻き付け方向である、請求項２に記載の画像形成装置。
【請求項４】
前記巻き条件は、前記巻き取り軸部材によって巻き取られる力に対する前記帯状部材の機械的性質である、請求項２に記載の画像形成装置。
【発明の詳細な説明】
【技術分野】
【０００１】
本発明は、記録装置や画像形成装置から排出される被記録材を収容する被記録材収容装置を備えた画像形成装置に関する。
【背景技術】
【０００２】
コンピュータやワークステーションの出力装置として、所定の搬送方向に搬送される記録紙などの被記録材にインクを吐出して画像を形成するインクジェット方式の画像形成装置が知られている。このインクジェット方式の画像形成装置は、通常、インクを吐出する複数のインク吐出口が形成されたインク吐出面を有する記録ヘッドを備えている。また、画像記録装置は、記録ヘッドが搭載されて所定の主走査方向に往復動するキャリッジと、この主走査方向に直交する副走査方向（搬送方向と同じ方向）に被記録材を搬送する搬送装置とを備えている。
【０００３】
被記録材に画像を形成する際は、搬送装置で搬送中の被記録材を一時的に停止させ、キャリッジを主走査方向に往復動させながら、画像情報の画像信号に基づいてインク吐出口からインクを吐出する。そして、被記録材のうちインク吐出口に対向する画像形成領域に位置する部分に１バンド分の画像を形成する。その後、被記録材を１バンド分の幅だけ搬送して再び停止させ、キャリッジを主走査方向に往復移動させながら、画像信号に基づいてインク吐出口からインクを吐出し、被記録材のうち画像形成領域の新たに位置する部分に画像を形成する。このような動作を繰り返すことによって、被記録材の画像形成領域の全面に画像を形成する。
【０００４】
このインクジェット方式の画像形成装置で記録された被記録材の排出方法としては、搬送方向における被記録材の長さに応じて、巻き取り装置によって被記録材を巻き取る場合と、巻き取りを行わずに、被記録材を収納装置に収納する場合との二通りがある。画像形成装置では、被記録材の巻き取り行うモードと、巻き取りを行わないモードとをユーザが自由に選択できるように構成されている。巻き取りを行わない場合には、記録動作の終了後に被記録材を切断して、切断位置の下方に設けられた収納装置に落下させて、被記録材を収納する。
【０００５】
例えば特許文献１に開示されている画像形成装置９０（図１０）は、ロール紙管９１に巻かれた長尺の被記録材９２（以下、シート９２と称す）を引き出し、シートに画像形成を行った後、排出するための排紙口９３が設けられている。この排紙口９３の下方には、この排紙口９３から排出されたシート９２が通常収容されるシート収容装置９４と、シート９２の巻き取りが行われる巻き取り装置９５が配設されている。短尺のシート９２は、巻き取りが行われないので、排紙口９３からシート収容装置９４に落下、収容される。一方、巻き取りが要求される長尺のシート９２は、巻き取り装置９５によって巻き取りが行われる。
【先行技術文献】
【特許文献】
【０００６】
【特許文献１】特開２００６−２０６２２４号公報
【発明の概要】
【発明が解決しようとする課題】
【０００７】
しかしながら、特許文献１に開示されている画像形成装置では、以下に示すような問題がある。まず、巻き取り装置を使って、長尺のシートを巻き取る場合には、排紙経路の上流側（手前側）に配置されたシート収容装置が障害となるので、このシート収容装置を画像形成装置から取り外す必要がある。しかし、このシート収容装置は、ある程度、長いシートの収容を可能にするために、画像形成装置の内部の奥まで入り込んだ位置に配置された構成になっており、画像形成装置に対する着脱性が非常に乏しい。
【０００８】
また、短いシートが排紙された場合、シートの落下の勢いで、シート収容装置の内方の奥まで、シートが入り込んでしまい、シートを取り出し難くなる問題もある。
【０００９】
そこで、本発明は、上記の課題に鑑みてなされたものである。本発明の目的は、巻き取り手段を使う場合と、使わない場合とに容易に切り替えを行うと共に、短尺の被記録材と長尺の被記録材の両方で、被記録材収容位置からの取り出し易さを向上することができる画像形成装置を提供することにある。
【課題を解決するための手段】
【００１０】
上述した目的を達成するために、本発明に係る画像形成装置は、
ロール状の被記録材に画像を形成する画像形成手段と、
画像形成手段から排出された被記録材を巻き取る巻き取り軸部材と、巻き取り軸部材に一端が設けられた所定の長さを有する帯状部材とを有し、帯状部材の他端に、画像形成手段から排出される被記録材の端部が取り付けられて巻き取り行う巻き取り手段と、を備える。帯状部材の他端は、画像形成手段から排出される被記録材の排出口近傍に位置する、被記録材の端部が取り付けられる巻き取り開始位置と、画像形成手段から排出される被記録材を帯状部材の上に収納可能とする被記録材収納位置とに、選択的に取り付け可能に構成されていることを特徴とする。
【発明の効果】
【００１１】
本発明によれば、巻き取り装置によって被記録材の巻き取りを行うモードと、被記録材の巻き取りを行わないモードとに容易に切り替えることができる。また、本発明によれば、短尺の被記録材と長尺の被記録材の両方で、被記録材収容位置からの取り出し易さを向上することができる。
【図面の簡単な説明】
【００１２】
【図１】第１の実施形態のプリンタの主要部の構成を示す断面図である。
【図２】第１の実施形態のプリンタの主要部の構成を示す斜視図である。
【図３】第１の実施形態におけるクランプ部材を示す斜視図である。
【図４】第１の実施形態における排紙ガイドの紙基準側を示す斜視図である。
【図５】第１の実施形態のプリンタの主要部の構成の巻き取り開始直前の状態を示す断面図である。
【図６】第１の実施形態における記録動作と巻き取り動作を説明するためのフローチャートである。
【図７】第２の実施形態における記録動作と巻き取り動作を説明するためのフローチャートである。
【図８】短尺のシートを用いる場合における第２の実施形態のプリンタの主要部の構成を示す断面図である。
【図９】長尺のシートを用いる場合における第２の実施形態のプリンタの主要部の構成を示す断面図である。
【図１０】従来の巻き取り装置を備える画像形成装置を示す断面図である。
【発明を実施するための形態】
【００１３】
（第１の実施形態）
以下、図面を参照しながら本発明の実施形態を説明する。ただし、この実施形態に記載されている構成要素はあくまで例示であり、本発明の範囲をそれらのみに限定する主旨のものではない。
【００１４】
以下、インクジェット方式のプリンタを例に挙げて説明するが、本発明のプリンタは、複写機能やスキャン機能を持った複合機、いわゆるマルチファンクションプリンタにも適用可能である。インクジェット方式としては、発熱体を用いた方式、ピエゾ素子を用いた方式、静電素子を用いた方式、ＭＥＭＳ（Micro Electro Mechanical Systems）素子を用いた方式などの、さまざまな方式を用いることができる。また、記録方式としては、インクジェット方式に限らず、電子写真方式、熱転写方式などさまざまな方式にも適用可能である。
【００１５】
図１に、本実施形態のインクジェットプリンタ１０（以下、プリンタ１０と称する）における主要部の構成を示す断面図を示す。図２に、本実施形態のプリンタ１０における主要部の構成を示す斜視図を示す。
【００１６】
図１及び図２に全体構成を示すように、プリンタ１０は、プリンタ本体１と、ロール状の被記録材としてのシートを供給するシート供給部２と、シートに画像を形成する画像形成手段としてシートに記録を行う記録部３と、を備えている。また、プリンタ１０は、記録部３から排出されたシートを切断するためのカッタ４と、プリンタ本体１を支えるスタンド５と、記録部から排出されるシートを案内する排紙ガイド６と、を備えている。
【００１７】
また、プリンタ１０は、記録部３から排出されるシートを巻き取る巻き取り手段としての巻き取り装置７と、記録部３から排出されるシートが収納されるシート収納部８と、を備えている。巻き取り装置７は、記録部３から排出されたシートを巻き取る巻き取り軸部材としての巻き取り軸管７１と、巻き取り軸管７１に一端が設けられた所定の長さを有する帯状部材としての巻き取りシート材７２とを有している。巻き取り装置７は、巻き取りシート材の他端に、記録部から排出されるシートの端部が取り付けられて巻き取り行う。
【００１８】
そして、巻き取りシート材７２の他端は、記録部３から排紙されるシートの排紙口近傍（排出口近傍）に位置する、シートの端部が取り付けられる巻き取り開始位置に、取り付け可能に構成されている。また、巻き取りシート材７２の他端は、記録部３から排出されるシートを巻き取りシート材７２の上に収納可能とするシート収納位置（被記録材収納位置）に、取り付け可能に構成されている。したがって、巻き取りシート材７２の他端は、巻き取り装置７の使用の有無に応じて、巻き取り開始位置と、シート収納位置とに選択的に取り付け可能に構成されている。
【００１９】
図３に、巻き取りシート材７２の先端に設けられたクランプ部材７３の斜視図を示す。クランプ部材７３は、プリンタ１０において搬送可能な最大の紙幅以上の幅を有するクランプベース７４と、クランプベース７４に取り付けられた巻き取りシート材７２とを有して構成されている。クランプベース７４の長手方向における両端には、最大通紙領域の外側にクランプ部材位置決め穴７６、７７が設けられている。また、巻き取り軸管７１にクランプ部材７３を巻き付けたとき、クランプ部材位置決め穴７６、７７の各中心を通る中心線７８と、巻き取り軸管７１の軸線とが、平行となるように構成されている。
【００２０】
図１及び図２に示すように、プリンタ本体１は、プリンタ１０を構成する各部を支持し、操作部１１を有しており、スタンド５によって設置床面からユーザが操作し易い高さに支持されている。スタンド５の脚部５１には、設置面上でのプリンタ本体１の移動を容易にするためにキャスタ５２が設けられている。
【００２１】
シート供給部２は、ロールシートＲの両端側で、ロールシートＲの回転中心Ｒｃ近傍を回転可能に支持するロールホルダ２１と、ロールシートＲを記録部３に向かう方向に案内する供給経路構成部材２２とを有して構成されている。記録部３は、記録位置において、シート供給部２から供給されたロールシートＲ上に記録を行う。記録部３は、ロールシートＲが記録部３に搬送されているか否かを検出するロールシート検出センサ３５と、ロールシートＲを搬送するための搬送ローラ３２と、記録動作時のロールシートＲをガイドするプラテン３３とを備えている。さらに、記録部３は、ロールシートＲを挟んでプラテン３３の反対側に配置された記録ヘッド３１と、記録ヘッド３１を着脱自在に保持して、シートの搬送方向と直交する方向に往復走査させるキャリッジ３４とを備えている。記録動作時には、キャリッジ３４の往復移動に同期した記録ヘッド３１からのインクの吐出と、シートの搬送動作とを交互に繰り返すことで、ロールシートＲ上に画像を記録する。
【００２２】
長尺のシートに記録を行う場合には、巻き取り装置７を使って、シートを巻き取る。具体的な操作及び動作手順については後述する。巻き取り装置７は、スタンド５に支持されており、排紙ガイド６の下り斜面に沿って案内されてプリンタ本体１の外に排紙された記録済のシートをロール状に巻き取って収容する。巻き取り装置７は、不図示の駆動機構によって回転可能な巻き取り軸管７１と、一端が巻き取り軸管７１に取り付けられ、他端にクランプ部材７３が設けられた巻き取りシート材７２と、を有して構成されている。
【００２３】
巻き取り軸管７１は、ロールホルダ２１に支持されたロールシートＲと軸方向が互いに平行になるよう配置されている。この巻き取りシート材７２は、巻き取り軸管７１に容易に巻き付けられるように薄手で剛性が低い材質で構成されており、本実施形態では布製を使用しているが、樹脂フィルムや伸縮性を有するゴムシート部材でも代用できる。そして、巻き取りシート材７２は、巻き取り軸管７１から延ばされたときに、排紙ガイド６の高さの半分程度の位置まで届く長さに設定されている。記録動作の終了後、画像形成領域の後端部分がカッタ４の位置まで搬送され、切断された後、巻き取り装置７によって画像形成領域の後端部分まで巻き取られて収容が完了する。
【００２４】
一方、長尺ではない通常の記録を行う場合、記録動作の終了後、カッタ４で切断することによって、プリンタ本体１の下方に設けられたシート収納部８にシートが落下する。シート収納部８は、先端にクランプロック部材８３、８４が設けられた支柱８１、８２を有して構成されている。シート収納部８は、上述した巻き取りシート材７２の一端（クランプ部材位置決め穴７６、７７）をクランプロック部材８３、８４に保持することによって、上方から落下してくるシートを捕らえることが可能となる。
【００２５】
次に、排紙ガイド６について説明をする。図２に示すように、排紙ガイド６の両側には、クランプロック部材６１、６２が突出して、プリンタ本体１の最大通紙領域の外側に配置されている。クランプロック部材６１、６２の中心を通る中心線は、ロールホルダ２１に支持されたロールシートＲの軸線と平行になるように構成されている。そのクランプロック部材６１、６２の間隔は、クランプ部材７３のクランプ部材位置決め穴７６、７７と同じ間隔に形成されており、クランプ部材７３をクランプロック部材６１、６２に、簡単に位置決めして保持することができる。
【００２６】
また、クランプロック部材６１、６２は、不図示の退避用の駆動機構によって任意のタイミングで、排紙ガイド６の表面から突出する位置と、排紙ガイド６の内部に退避する位置とに移動可能に構成されている。クランプロック部材６１、６２の退避に関しては、退避用の駆動機構を備える代わりに、巻き取りシート材７２の巻き取り動作に伴って巻き方向に特定の荷重が作用したときに、自動的に排紙ガイド６の内部に退避するように弾性部材によって保持する構造でもよい。
【００２７】
図４（ａ）〜（ｃ）に、図２中に示す矢印Ｘ方向から見た排紙ガイド６の斜視図を示す。クランプロック部材６１の近傍には、巻き取り動作を行うために、クランプ部材７３が排紙ガイド６に装着されたことを検出するためのクランプ部材検出センサ６４が最大通紙領域の外側に配置されている（図４（ａ））。本実施形態では、クランプ部材検出センサ６４として、押しボタン型のスイッチからなるセンサが用いられている。
【００２８】
ロールシートＲの先端を巻き取り装置７のクランプ部材７３に固定する操作手順について説明する。まず、ユーザは、クランプ部材７３を排紙ガイド６近傍に移動させる。続いて、クランプベース７４のクランプ部材位置決め穴７６、７７に、排紙ガイド６の表面から突出したクランプロック部材６１、６２を通すことで、クランプ部材７３を排紙ガイド６に位置決めして保持させる（図４（ｂ））。これによって、ロールシートＲがクランプ部材７３とオーバーラップする位置まで、搬送されて停止する（この一連の動作フローについては後述する）。
【００２９】
続いて、粘着テープ７９などを使って、クランプ部材７３のクランプベース７４と、オーバーラップする位置まで搬送されたロールシートＲとを固定して連結させる。（図４（ｃ））。その後、クランプ部材７３を仮固定していたクランプロック部材６１、６２が排紙ガイド６内に引き込まれ、不図示の駆動機構によって巻き取り軸管７１が矢印ａ方向（図５）に回転して、巻き取り動作が開始する。
【００３０】
図６に、本実施形態のプリンタ１０の記録動作と巻き取り動作のフローチャートを示す。
【００３１】
記録指令（ステップＳ１）が出されたとき、ロールシートＲが搬送ローラ３２まで搬送されているか否かをロールシート検出センサ３５で検出する（ステップＳ２）。ロールシートＲが検出された場合、クランプ部材検出センサ６４によって、クランプ部材７３が排紙ガイド６のクランプロック部材６１、６２に固定されているか否かを検出する（ステップＳ３）。ステップＳ３においてクランプ部材７３が検出されない場合は、巻き取りを必要としないシートと判断され、通常の記録動作を開始する（ステップＳ５）。
【００３２】
ステップＳ３においてクランプ部材検出センサ６４によってクランプ部材７３が検出された場合には、搬送モータを駆動させる（ステップＳ４）。搬送モータを駆動させることによって、ロールシートＲの先端を、クランプ部材７３とオーバーラップする位置まで所定量搬送して、搬送モータを停止する（ステップＳ６、Ｓ７）。そして、この状態でユーザは、上述した手順（図４（ａ）〜（ｃ））で、ロールシートＲの先端をクランプ部材７３に連結する。その後、ユーザがプリンタ１０の操作部１１に配置されたＯＫボタン（ステップＳ８）を押すことによって、プリンタ１０は、ロールシートＲとクランプ部材７３との連結作業が完了したことを認識する。
【００３３】
ステップＳ８においてＯＫボタンが押されたことが検出された後、クランプロック部材６１、６２が退避（ステップＳ９）して、クランプ部材７３の固定が解除される。その後、記録動作が開始（ステップＳ１０）されて、巻き取り装置７を駆動して巻き取り作業が行われる（ステップＳ１１）。そして、所定の記録動作が終了（ステップＳ１２）したとき、搬送モータ、及び巻き取り装置７を駆動（ステップＳ１３）し、シートの画像形成領域の後端部分をカッタ４の位置まで所定量搬送する。シートの画像形成領域の後端部分をカッタ４の位置まで所定量搬送した後、搬送モータ、及び巻き取り装置７の駆動を停止する（ステップＳ１４、Ｓ１５）。続いて、カッタ４を駆動（ステップＳ１６）し、シートを切断する。その後、巻き取り装置７によってシートを後端部まで巻き取って（ステップＳ１７）、一連の動作が終了する（ステップＳ１８）。
【００３４】
本実施形態では、記録動作が終了（ステップＳ１２）した後、シートの切断動作を行っているが、予めプリンタドライバ、または操作部１１でユーザが切断停止に設定しておくことによって、シートが切断されない状態で一連の動作を終了させることも可能である。
【００３５】
上述したように、巻き取り軸管７１に取り付けられ巻き取りシート材７２の一端を、排紙口近傍の位置（巻き取り開始位置）と、シート収納部８の支柱８１、８２の先端の位置（シート収納位置）とに、選択的に取り付け可能に構成されている。このように構成されることで、シートの仕様（種類）に応じて、ユーザが排紙形態の切換を容易に行うことができる。例えば、長尺の記録を行う場合、巻き取りシート材７２の一端を排紙口近傍の位置に一時的に固定した状態で、シートの先端を巻き取りシート材７２に粘着テープ等で固定することで、巻き取り動作に移行できる。その後、長尺ではない、短尺のシートに記録を行う場合には、別の巻き取りシート材７２が用いられ、別の巻き取りシート材７２の一端がシート収納部８の支柱８１、８２に固定される。これによって、短尺のシートは、別の巻き取りシート材７２によって構成されたシート収納部８に収納されることになる。
したがって、本実施形態によれば、シートの排出形態を切り替えるときの操作性を向上することができる。
【００３６】
（第２の実施形態）
以下、図面を参照しながら、第２の実施形態について説明する。ただし、この実施形態に記載されている構成要素はあくまで例示であり、本発明の範囲をそれらのみに限定する主旨のものではない。
【００３７】
図７に、第２の実施形態のプリンタ１０の一連の動作のフローチャートを示す。図８に、シートの長さが所定長さＬ０と同じ、または所定長さＬ０よりも短いシートを排紙した場合におけるプリンタ１０及びシート収納部８の断面図を示す。図９に、シートが所定長さＬ０よりも長い場合におけるプリンタ１０、及びシート収納部８の断面図を示す。図１、図５に示した構成と比べて、図８、図９に示す構成で追加されている部材は、シート収納部８の後方に設けられた後方シート収納部８５のみである。また、図８及び図９では、図面を見易くするために、本実施形態の説明に関係ない部材を破線で示す。
【００３８】
図７において、破線で囲まれたステップの部分が、図６に示したフローに追加した部分である。記録指令（ステップＳ１）が出されたとき、ロールシートＲが搬送ローラ３２に挿入されているか否かをロールシート検出センサ３５で検出する（ステップＳ２）。ロールシートＲが検出された場合、クランプ部材検出センサ６４によってクランプ部材７３が排紙ガイド６のクランプロック部材６１、６２に固定されているか否かを検出する（ステップＳ３）。ステップＳ３においてクランプ部材７３が検出されない場合は、巻き取りを必要としない記録であると判断され、通常の記録動作を開始する。
【００３９】
ただし、シート収納部８におけるシートの収納性、及び取り出し性を向上させるために、記録動作を開始する前に、最終的にシート収納部８に排紙されるシート８６の長さに応じて、シート収納部８の形態を変更できる。余白も含めたシート８６の長さＬが、予め設定されている長さＬ０と同じ、または、シートが短い場合（ステップＳ５１）は、図８に示すように、巻き取り軸管７１を矢印方向（反時計回り）に回転させる。これによって、巻き取りシート材７２が巻き取り軸管７１に対して、反時計回りに巻かれた形態にする（ステップＳ５２）。一方、余白部分も含めたシート８６の長さＬが、予め設定されている長さＬ０よりも長い場合（ステップＳ５１）は、図９に示すように、巻き取り軸管７１を矢印方向（時計回り）に回転させる。これによって、巻き取りシート材７２が巻き取り軸管７１に対して、時計回りに巻かれた形態にする（ステップＳ５３）。
【００４０】
巻き取り軸管７１の駆動機構には、動力発生源のモータと、途中経路に特定のトルクでスリップするトルクリミッタが内蔵されており、必要以上にモータが回転した場合であっても、巻き取りシート材７２を破損させることが防止されている。時計回り、反時計回りのどちらの回転方向においても、予め設定された時間だけ回転してトルクリミッタでスリップした後に、所定量だけ逆転されている。これによって、図８及び図９に示すように、巻き取りシート材７２に適度なたるみが与えられて、シートを収納し易くされている。
【００４１】
これから記録されるシートの長さに応じて、シート収納部８の形態が変更された後、記録動作を開始する（ステップＳ１０）。所定の記録動作が終了した後、搬送モータを駆動（ステップＳ１３）し、シートの画像形成領域の後端部分をカッタ４の位置まで搬送した後、カッタ４を駆動して、シートを切断（ステップＳ１６）する。
【００４２】
図８に示すように、シート８６が短尺である場合、排紙されたシート８６がシート収納部８に落下したときに、巻き取り軸管７１が障害となり、巻き取り軸管７１の手前で止められることになる。したがって、短尺のシートであっても、シートに簡単に手が届き、シートを取り出し易くされている。
【００４３】
一方、図９に示すように、シート８６が長尺である場合、記録動作が進行している間、及び記録動作が終了して、シート８６がシート収納部８に落下したときに、巻き取り軸管７１が障害とならないので、シート８６の先端が引っ掛かることなく、正常に排紙される。
【００４４】
巻き取りシート材７２のたるみ具合は、ロールシートＲのサイズ、記録枚数、及び紙種の仕様に応じて変更が可能である。例えば、大量の短尺のシートに記録する場合、図８に示す形態において、巻き取りシート材７２のたるみ量を大きくすることで、大量のシート８６を収納する場合であっても、外部への、はみ出しを抑えて、収納性を高めている。また、短尺状のシート８６を１枚だけ記録する場合には、巻き取りシート材７２のたるみが無い状態にすることで、シート８６の取り出し性を向上させることができる。
【００４５】
ステップＳ３（図７）においてクランプ部材７３が検出された場合、長尺の記録による巻き取りになる。
【００４６】
まず、搬送モータを駆動し（ステップＳ４）、ロールシートＲの先端を、クランプ部材７３とオーバーラップする位置まで所定量搬送し、搬送モータを停止する（ステップＳ６、Ｓ７）。そして、この状態でユーザは、上述した手順でシートの先端をクランプ部材７３に固定した後、ユーザがプリンタ１０の操作部１１に配置されたＯＫボタン（ステップＳ８）を押すことで、プリンタ１０に対して、固定作業が完了したことを認識させる。ステップＳ８においてＯＫボタンが押されたことを検出した後、クランプロック部材６１、６２が退避し（ステップＳ９）、クランプ部材７３の固定が解除されてから、記録動作が開始（ステップＳ１０）される。
【００４７】
記録動作が開始された後、巻き取りを駆動させる前に、シート８６の記録面を内側と外側のどちらに向けて巻き取るか（巻き取り軸管７１に対するシートの巻き取り方向）を決める必要がある。シート８６の巻き取り方向は、プリンタドライバで予め設定しておき、記録命令（ステップＳ１）と同時にプリンタ１０に送信する、あるいはプリンタ１０の操作部１１でユーザが設定することができる。
【００４８】
プリンタドライバ、または操作部１１によって、シート８６の巻き取り方向が記録面を外側に向けるように設定（ステップＳ４１）されている場合、巻き取り軸管７１が図５中の矢印方向に回転される。これによって、記録面を外側に向けて巻き取り（ステップＳ４２、Ｓ１１）が行われる。
【００４９】
一方、プリンタドライバ等で、巻き取り軸管７１に対する巻き取り方向が、記録面を内側に向けるように設定（ステップＳ４１）されている場合、巻き取り軸管７１が図５中の矢印方向とは反対方向に回転される。これによって、記録面を内側に向けて巻き取り（ステップＳ４２、Ｓ１１）が行われる。
【００５０】
そして、所定の記録動作が終了（ステップＳ１２）したとき、搬送モータ及び巻き取り装置７を駆動（ステップＳ１３）し、ロールシートＲの画像形成領域の後端部分をカッタ４の位置まで所定量搬送させる。ロールシートＲを所定量搬送させた後、搬送モータ及び巻き取り装置の駆動を停止する（ステップＳ１４、Ｓ１５）。そして、カッタ４を駆動し、シートを切断し（ステップＳ１６）、巻き取り装置７によってシート８６の後端部まで巻き取って、一連の動作が終了する（ステップＳ１７、Ｓ１８）。
【００５１】
ここでは、記録動作が終了（ステップＳ１２）した後、切断動作を行っているが、予めプリンタドライバ、または操作部１１でユーザが切断オフを設定しておくことで、切断しない状態で、一連の動作を終了することもできる。
【００５２】
上述のように、シートの仕様、例えば、余白を含んだシートの長さ、記録枚数、紙種等を含む形態に応じて、巻き取りシート材７２の巻き条件を変更して、シート収納部８の形態が変えられる。すなわち、巻き条件として、巻き取りシート材７２の巻き方向や、巻き取り軸管７１によって巻き取られる力に対する巻き取りシート材７２の機械的性質（弾性）、いわゆる巻き強さを変更する。
【００５３】
プリンタ１０で記録されるシートの仕様に応じて、巻き取り軸管７１に対する巻き取りシート材７２の巻き方向を変えることによって、巻き取り装置７を使用しない形態における長尺のシートと短尺のシートの両方において取り出し性を向上することができる。例えば、短尺のシートが排紙された際、シート収納部８の奥行き方向の深い位置まで入り込ませずに、シートを手前に位置させることが可能になり、シートの取り出し作業を容易に行うことができる。
【００５４】
また、プリンタ１０で記録されるシートの仕様に応じて、巻き取り軸管７１による巻き取りシート材７２の機械的性質である巻きの強さが変更されてもよい。これによって、巻き取り装置７を使用しない形態で、少数枚のシートを取り出す場合と、多数枚のシートを取り出す場合とのそれぞれにおいて、シートの取り出し性を向上することができる。
【符号の説明】
【００５５】
３  記録部
７  巻き取り装置
８  シート収納部
１０  プリンタ
７１  巻き取り軸管
７２  巻き取りシート材
８６  短尺または長尺のシート
Ｒ  ロールシート
【図１】
2013121705.tif 000003
【図２】
2013121705.tif 000004
【図３】
2013121705.tif 000005
【図４】
2013121705.tif 000006
【図５】
2013121705.tif 000007
【図６】
2013121705.tif 000008
【図７】
2013121705.tif 000009
【図８】
2013121705.tif 000010
【図９】
2013121705.tif 000011
【図１０】
2013121705.tif 000012